(57)【要約】【課題】表示部に表示された入力欄にユーザーが不適切な文字を入力したことを、ユーザーに認識させることができる印刷装置の制御装置及びこの制御装置を備える印刷装置を提供する。【解決手段】制御装置は、印刷データに基づいて印刷を行う印刷部と、ネットワークを介して制御装置印刷データを受信する受信部と、を備える印刷装置の制御装置であって、表示部に表示させた入力領域に入力される文字を受け付け（Ｓ１１，Ｓ１５）、当該文字が制御装置入力領域に設定された入力規則に従っていない場合（Ｓ１６：ＹＥＳ）、制御装置入力領域を制御装置の表示部内で振動させる（Ｓ１７）。【選択図】図４
2016139890.tif 000002
【特許請求の範囲】
【請求項１】
印刷データに基づいて印刷を行う印刷部と、ネットワークを介して前記印刷データを受信する受信部と、を備える印刷装置の制御装置であって、
表示部に表示させた入力領域に入力される文字を受け付け、当該文字が前記入力領域に設定された入力規則に従っていない場合に、前記入力領域を前記表示部内で振動させる
ことを特徴とする制御装置。
【請求項２】
前記入力領域に入力された文字が前記入力規則に従っていない場合には、その旨の文字列を前記入力領域に表示させる
ことを特徴とする請求項１に記載の制御装置。
【請求項３】
前記入力領域に入力された文字が前記入力規則に従っていない場合には、前記入力領域を前記表示部内で振動させた後に、前記文字列を前記入力領域に表示させる
ことを特徴とする請求項２に記載の制御装置。
【請求項４】
前記表示部に複数の前記入力領域を表示させ、
前記入力規則を前記入力領域毎に個別に設定する
ことを特徴とする請求項１〜請求項３のうち何れか一項に記載の制御装置。
【請求項５】
前記表示部は、前記ネットワークに接続された情報端末に設けられ、
前記情報端末を介して前記入力領域に入力される文字を受け付ける
ことを特徴とする請求項１〜請求項４のうち何れか一項に記載の制御装置。
【請求項６】
請求項１〜請求項５のうち何れか一項に記載の制御装置と、
印刷データに基づいて印刷を行う印刷部と、
ネットワークを介して前記印刷データを受信する受信部と、を備える
ことを特徴とする印刷装置。
【請求項７】
画像を読み取る読取部と、
前記読取部が読み取った画像データを前記ネットワークに接続された情報端末に送信する送信部と、をさらに備える
ことを特徴とする請求項６に記載の印刷装置。
【発明の詳細な説明】
【技術分野】
【０００１】
本発明は、印刷装置の制御装置及びこの制御装置を備える印刷装置に関する。
【背景技術】
【０００２】
従来から、用紙等の媒体に印刷を行う印刷装置が知られている。このような印刷装置の中には、装置の各種の情報を表示する表示部と、装置に指示を与えたり装置の設定を変更したりする際にユーザーに操作される操作部とを備えるものがある（例えば、特許文献１）。
【先行技術文献】
【特許文献】
【０００３】
【特許文献１】特開２０１１−１４３６２７号公報
【発明の概要】
【発明が解決しようとする課題】
【０００４】
ところで、上記のような印刷装置において設定を変更する際には、ユーザーが、表示部に表示された入力欄に対して文字を入力することがある。ここで、操作部を介して入力欄に入力可能な文字が、当該入力欄に対する入力が適切な文字よりも多い場合には、ユーザーが入力欄に対して不適切な文字を入力する場合がある。
【０００５】
一例として、ＩＰアドレスを入力する入力欄であれば、数字及び「．」の記号が入力の適切な文字に該当するが、操作部を介して、数字、アルファベット及び記号を入力可能な場合には、当該入力欄に対して、ユーザーがアルファベットや「．」以外の記号といった不適切な文字を入力する場合がある。
【０００６】
そして、こうした場合に、ユーザーが不適切な文字を入力したことを認識しない状態で入力欄に対する文字入力を継続すると、誤った入力情報に基づいて設定が行われたり、設定をやり直さなければならなくなったり、ユーザーにとって不便となる。
【０００７】
なお、上記実情は、印刷装置が表示部と操作部とを備える場合に限らず、他の情報端末が表示部と操作部とを備えるとともに当該情報端末を介して印刷装置の各種の設定等を行う場合においても概ね共通する問題となっている。
【０００８】
本発明は上記実情に鑑みてなされたものである。その目的は、表示部に表示された入力欄にユーザーが不適切な文字を入力したことを、ユーザーに認識させることができる印刷装置の制御装置及びこの制御装置を備える印刷装置を提供することにある。
【課題を解決するための手段】
【０００９】
以下、上記課題を解決するための手段及びその作用効果について記載する。
上記課題を解決する印刷装置の制御装置は、印刷データに基づいて印刷を行う印刷部と、ネットワークを介して前記印刷データを受信する受信部と、を備える印刷装置の制御装置であって、表示部に表示させた入力領域に入力される文字を受け付け、当該文字が前記入力領域に設定された入力規則に従っていない場合に、前記入力領域を前記表示部内で振動させる。
【００１０】
上記構成によれば、表示部に表示された入力領域に入力された文字が当該入力領域に設定された入力規則に従っていない場合には、その入力領域が表示部内で振動する。したがって、表示部に表示された入力領域に対して不適切な文字が入力された場合には、不適切な文字を入力したことをユーザーに認識させることができる。
【００１１】
上記制御装置において、前記入力領域に入力された文字が前記入力規則に従っていない場合には、その旨の文字列を前記入力領域に表示させることが望ましい。
上記構成によれば、入力規則に従っていない旨の文字列（メッセージ）を表示させるための領域を表示部内に別途設ける必要がなく、表示部の限られたスペースを有効に利用することができる。また、ユーザーに入力規則に従っていない文字入力を行ったことを認識させることができる。
【００１２】
上記制御装置において、前記入力領域に入力された文字が前記入力規則に従っていない場合には、前記入力領域を前記表示部内で振動させた後に、前記文字列を前記入力領域に表示させることが望ましい。
【００１３】
表示部内で入力領域を振動させている最中に、入力規則に従っていない旨の文字列を入力欄に表示させた場合、ユーザーは当該文字列を認識しにくい。一方、上記構成によれば、入力領域を振動させた後に、入力規則に従っていない旨の文字列を表示させるため、ユーザーに対して当該文字列を認識しやすくすることができる。
【００１４】
上記制御装置は、前記表示部に複数の前記入力領域を表示させ、前記入力規則を前記入力領域毎に個別に設定することが望ましい。
上記構成によれば、異なる文字を入力する入力欄が複数ある場合において、操作部を介して入力可能な文字の中に、ある入力欄に対しては入力が適切な文字であるが他の入力欄に対しては入力が不適切な文字が存在したとしても、複数の入力領域において、そのような文字を適切に処理することができる。
【００１５】
上記制御装置において、前記表示部は、前記ネットワークに接続された情報端末に設けられ、当該制御装置は、前記情報端末を介して前記入力領域に入力される文字を受け付けることが望ましい。
【００１６】
上記構成によれば、ネットワークを介して印刷装置から離れた場所から情報端末を介して、印刷装置の各種の設定等を行う場合であっても、情報端末の表示部に表示された入力領域に対して不適切な文字が入力された場合には、その旨をユーザーに認識させることができる。
【００１７】
上記課題を解決する印刷装置は、上述した何れかの制御装置と、印刷データに基づいて印刷を行う印刷部と、ネットワークを介して前記印刷データを受信する受信部と、を備える。
【００１８】
上記構成によれば、印刷装置において、上述した制御装置の効果を得ることができる。
上記印刷装置は、画像を読み取る読取部と、前記読取部が読み取った画像データを前記ネットワークに接続された情報端末に送信する送信部と、をさらに備えることが望ましい。
【００１９】
上記構成によれば、読取部で読み取った画像データを、ネットワークに接続された情報端末に送信することができる。また、画像データの送信先である情報端末の情報を、操作部を介して入力領域に入力する際に、不適切な文字を入力した場合には、それをユーザーに認識させることができる。
【図面の簡単な説明】
【００２０】
【図１】印刷装置を備える印刷システムの概略構成を示すブロック図。
【図２】印刷装置の表示部に表示される設定画面の一例を示す模式図。
【図３】設定画面の入力欄に対する入力可能な文字を示す表。
【図４】入力欄に入力された文字が適切か否かを判断するために、制御装置が実施する処理ルーチンを示すフローチャート。
【図５】（ａ），（ｂ），（ｃ）は、第２の入力欄に不適切な文字を入力した場合における表示部の設定画面の推移を示す模式図。
【図６】変形例に係る印刷システムの概略構成を示すブロック図。
【発明を実施するための形態】
【００２１】
以下、印刷装置の一実施形態について、図面を参照して説明する。なお、本実施形態において、印刷装置は、印刷機能、スキャン機能及びコピー機能等を有する複合機である。
図１に示すように、印刷システム１０は、ネットワークＮＷに接続された印刷装置２０と複数の情報端末３０とを備えている。
【００２２】
印刷装置２０は、ユーザーによって操作される操作部２１と、媒体に形成された文字や画像の読み取り（スキャン）を行う読取部２２と、印刷装置２０に係る各種の情報を表示する表示部２３と、媒体に印刷を行う印刷部２４と、ネットワークＮＷを介して情報の送受信を行う送受信部２５と、装置を統括的に制御する制御装置２６と、を備えている。
【００２３】
操作部２１は、ユーザーが操作することで、印刷装置２０に対して印刷やスキャンの指示を出したり、印刷装置２０の各種の設定を行ったりする。このため、操作部２１は、例えば、数字、アルファベット及び記号等を入力可能であることが望ましい。また、操作部２１は、液晶ディスプレイに表示されるようなタッチパネルであってもよいし、物理キーであってもよい。
【００２４】
表示部２３は、印刷装置２０においてユーザーから見やすい位置であって、操作部２１の近傍に設けられていることが望ましい。また、表示部２３は、例えば、液晶ディスプレイ等であればよい。
【００２５】
印刷部２４は、例えば、用紙等の媒体に向かってインクを噴射することで媒体に文字や画像を形成したり、媒体にトナーを定着させることで媒体に文字や画像を形成したりする。この点で、本実施形態の印刷装置２０は、インクジェットプリンターであってもよいし、レーザープリンターであってもよいし、その他のプリンターであってもよい。
【００２６】
送受信部２５は、ネットワークＮＷを介して情報端末３０と情報を送受信する際のネットワークインターフェースである。送受信部２５は、印刷装置２０及びネットワークＮＷを有線で接続してもよいし、無線で接続してもよい。こうした点で、送受信部２５は、「送信部」及び「受信部」の一例に該当する。
【００２７】
制御装置２６は、その入力側インターフェースに操作部２１、読取部２２及び送受信部２５が接続され、その出力側インターフェースに表示部２３、印刷部２４及び送受信部２５が接続されている。そして、制御装置２６は、ユーザーの操作部２１を介した操作に基づいて表示部２３の表示内容を変更させたり、送受信部２５を介して受信した印刷データに基づいて印刷部２４に印刷を実行させたり、読取部２２でスキャンした画像データを送受信部２５に送信させたりする。
【００２８】
情報端末３０は、ネットワークＮＷを介して、印刷装置２０に印刷データを送信したり、印刷装置２０から送信された画像データを受信したりする。情報端末３０は、例えば、パーソナルコンピューターやスマートフォンである。
【００２９】
さて、以上説明した印刷装置２０においては、操作部２１及び表示部２３を介して装置の各種の設定が行われる。すなわち、印刷装置２０のユーザーは、表示部２３に表示された設定画面を確認しながら、操作部２１を介して文字を入力したり選択肢を選択したりすることで、装置の各種の設定を行うこととなる。
【００３０】
次に、図２及び図３を参照して、表示部２３に表示される印刷装置２０の設定画面の一例について説明する。なお、本実施形態における印刷装置２０の設定画面は、読取部２２の設定に係るものであって、スキャンしたデータの保存先を予め印刷装置２０に登録するためのものである。
【００３１】
なお、図３における入力可能文字は、ＡＳＣＩＩコードのコード順に記載された、いわゆる半角文字であって、例えば、［０−９］であれば、数字の「０（零）」から「９」までの全ての数字を意味している。
【００３２】
図２に示すように、設定画面４０には、スキャンした画像を印刷装置２０とネットワークＮＷを介して接続された何れの情報端末３０に保存するかを特定するために、入力領域の一例としての複数の入力欄５０が設けられている。
【００３３】
詳しくは、設定画面４０には、画像データの送信先を示す宛先名が入力される第１の入力欄５１と、画像データの送信先となる情報端末３０のＩＰアドレスが入力される第２の入力欄５２と、上記情報端末３０における画像データの保存場所が入力される第３の入力欄５３と、が設けられている。また、設定画面４０には、上記情報端末３０にログインするためのユーザー名が入力される第４の入力欄５４と、上記情報端末３０におけるユーザーに対応するパスワードが入力される第５の入力欄５５と、が設けられている。
【００３４】
宛先名は、ユーザーが任意に設定するものであり、スキャンを行う場合において、スキャンした画像の送信先を選択する際に表示部２３に表示されるものである。また、図３に示すように、第１の入力欄５１に対して入力可能な文字は、数字「０−９」及びアルファベット「Ａ−Ｚ」，「ａ−ｚ」となっている。
【００３５】
ＩＰアドレスが入力される第２の入力欄５２は、情報端末３０のＩＰアドレスを入力する入力欄５０である。このため、図３に示すように、第２の入力欄５２に対して入力可能な文字は、数字「０−９」及び記号「．」に限られている。
【００３６】
保存場所は、第２の入力欄５２に入力されたＩＰアドレスによって特定される情報端末３０における画像データの保存フォルダー（保存ディレクトリー）である。このため、図３に示すように、第３の入力欄５３に対して入力可能な文字は、数字「０−９」、アルファベット「Ａ−Ｚ」，「ａ−ｚ」及び記号「−」，「＿」，「：」，「￥」に限られている。
【００３７】
ユーザー名は、第２の入力欄５２に入力されたＩＰアドレスによって特定される情報端末３０にログインする際のユーザー名である。この点で、上述した保存場所は、当該ユーザーの個人用フォルダーとなる。また、図３に示すように、第４の入力欄５４に対して入力可能な文字は、数字「０−９」及びアルファベット「Ａ−Ｚ」，「ａ−ｚ」となっている。
【００３８】
パスワードは、第２の入力欄５２に入力されたＩＰアドレスによって特定される情報端末３０にログインする際のユーザー毎に設定されるパスワードである。また、図３に示すように、第５の入力欄５５に対して入力可能な文字は、数字「０−９」、アルファベット「Ａ−Ｚ」，「ａ−ｚ」及び記号「！−／」，「：−＠」，［［−｀］となっている。
【００３９】
なお、上記のそれぞれの入力欄５０に対する入力可能な文字は一例である。このため、印刷装置２０の配置される環境や、印刷装置２０に接続される情報端末３０のオペレーティングシステム（ＯＳ）等に応じて、適宜に変更すればよい。
【００４０】
なお、上述したように入力欄５０毎に入力可能な文字が設定されている点で、本実施形態では、複数の入力欄５０に対して個別に設定された入力可能な文字が「入力規則」の一例に相当する。また、以降の説明では、操作部２１を介して入力欄５０に入力可能な文字のうち、図３に示す入力可能文字でない文字のことを「禁止文字」とも言う。
【００４１】
次に、図４に示すフローチャートを参照して、入力欄５０に入力された文字が適切か否かを判断するために、言い換えれば入力された文字が入力可能な文字か否かを判断するために、制御装置２６が実施する処理ルーチンについて説明する。なお、本処理ルーチンは、入力欄５０が設けられた設定画面４０が表示部２３に表示される毎に実施される処理ルーチンである。
【００４２】
図４に示すように、制御装置２６は、複数の入力欄５０が設けられた設定画面４０（図２参照）を表示させ（ステップＳ１１）、ユーザーに複数の入力欄５０から一つの入力欄５０（例えば、第１の入力欄５１）を選択させる（ステップＳ１２）。続いて、制御装置２６は、ユーザーに選択された入力欄５０にカーソル４１（図５（ａ）参照）を表示させ（ステップＳ１３）、ユーザーに当該入力欄５０に対して文字を入力させる（ステップＳ１４）。
【００４３】
そして、制御装置２６は、入力欄５０に入力された文字（以下「入力文字」とも言う。）を受け付ける（ステップＳ１５）。続いて、制御装置２６は、受け付けた入力文字が禁止文字であるか否かを判定する（ステップＳ１６）。詳しくは、受け付けた入力文字が、その入力欄５０に対する入力可能文字のうちの何れかの文字であれば禁止文字でないと判定する。一方、入力文字が、その入力欄５０に対する入力可能文字のうちの何れかの文字でなければ禁止文字であると判定する。
【００４４】
一例として、第１の入力欄５１に数字の「１」を入力した場合には、入力文字（「１」）は第１の入力欄５１の入力可能文字であるため、禁止文字でないと判定される。一方、第１の入力欄５１に「−」の記号を入力した場合には、入力文字（「−」）は第１の入力欄５１の入力可能文字でないため、禁止文字であると判定される。
【００４５】
入力欄５０に入力された文字が禁止文字である場合（ステップＳ１６：ＹＥＳ）、制御装置２６は表示部２３に表示される設定画面４０に設けられた入力欄５０を設定画面４０内で振動させ（ステップＳ１７）、入力欄５０の振動を継続させた状態で第１の期間待機する（ステップＳ１８）。
【００４６】
ここで、入力欄５０の振動態様は、左右方向に振動させてもよいし、上下方向に振動させてもよいし、入力欄５０と直交する方向を回転軸として揺動させてもよいし、これらの振動態様を組合せて振動させてもよい。また、第１の期間とは、入力欄５０が振動し始めてから振動し終わるまでの期間に相当し、一例として「１秒」程度であればよい。
【００４７】
そして、制御装置２６は、ステップＳ１７の実行を開始してから第１の期間が経過したら、入力欄５０の振動を停止させ（ステップＳ１９）、入力文字が不適切な文字である旨のメッセージを入力欄５０に表示させる（ステップＳ２０）。続いて、制御装置２６は、メッセージを入力欄５０に表示させた状態で、第２の期間待機する（ステップＳ２１）。ここで、第２の期間とは、入力欄５０にメッセージを表示してから表示を終えるまでの期間に相当し、一例として「１秒」程度であればよい。
【００４８】
そして、制御装置２６は、ステップＳ２０の実行を開始してから第２の期間が経過したら、メッセージを表示する前の状態、言い換えれば禁止文字を入力する前の状態とするために、入力欄５０の表示を元に戻し（ステップＳ２２）、その処理を先のステップＳ１４に移行させる。
【００４９】
一方、先のステップＳ１６において、入力欄５０に入力された文字が禁止文字でない場合（ステップＳ１６：ＮＯ）、制御装置２６は、入力文字を入力欄５０に反映させ（ステップＳ２３）、当該入力欄５０への文字入力が終了したか否かを判定する（ステップＳ２４）。
【００５０】
入力欄５０への文字入力が終了していない場合（ステップＳ２４：ＮＯ）、制御装置２６は、その処理を先のステップＳ１４に移行する。一方、入力欄５０への文字入力が終了している場合（ステップＳ２４：ＹＥＳ）、全ての入力欄５０への文字入力が終了しているか判定する（ステップＳ２５）。全ての入力欄５０への文字入力が終了していない場合（ステップＳ２５：ＮＯ）、制御装置２６は、その処理を先のステップＳ１２に移行する。一方、全ての入力欄５０への文字入力が終了している場合（ステップＳ２５：ＹＥＳ）、その処理を一旦終了させる。
【００５１】
なお、ステップＳ２４，Ｓ２５における入力欄５０への文字入力が終了したか否かの判定は、例えば、ユーザーがある入力欄５０への文字入力を終えたタイミングで、次の入力欄５０を選択した事をもって、当該入力欄５０への文字入力が終了したとしてもよい。
【００５２】
次に、図５を参照して、本実施形態の印刷装置２０の作用について説明する。
さて、印刷装置２０において、スキャンした画像データを送信する宛先を新規に登録する場合には、図５（ａ）に示す設定画面４０を表示部２３に表示させる。そして、表示部２３に表示された設定画面４０に設けられた複数の入力欄５０に、必要な情報（文字）をユーザーに入力させる。
【００５３】
すなわち、ユーザーによって、第１の入力欄５１が選択され、第１の入力欄５１に任意の宛先名である「ｔｅｒｍ０１」が入力される。続いて、ユーザーによって、第２の入力欄５２が選択され、第２の入力欄５２にＩＰアドレスが入力される。
【００５４】
なお、図５（ａ）に示す状態では、第２の入力欄５２に対して文字を入力している最中であるため、第２の入力欄５２には、文字入力の対象となっている第２の入力欄５２と第２の入力欄５２における入力位置を示すカーソル４１が表示されている。
【００５５】
ここで、図５（ａ）に示すように、第２の入力欄５２に対して、数字の「１９２」が入力された後に、「．」の記号と誤って「，」の記号が入力されたとする。すると、図３に示すように、「，」の記号は、第２の入力欄５２に対する入力可能文字でないため、図５（ｂ）に実線矢印で示すように、第２の入力欄５２が所定期間（＝第１の期間）振動する。
【００５６】
続いて、図５（ｃ）に示すように、第２の入力欄５２の振動が停止し、第２の入力欄５２に入力文字が不適切な文字である旨のメッセージ（「,」は入力できません。）が所定期間（＝第２の期間）表示される。
【００５７】
そして、第２の入力欄５２は、図５（ｃ）に示すように、メッセージが表示される状態から、図５（ａ）に示すように、数字の「１９２」及びカーソル４１が表示される状態に切り替わる。
【００５８】
上記実施形態によれば、以下に示す効果を得ることができる。
（１）印刷装置２０において、表示部２３に表示された入力欄５０に入力された文字が当該入力欄５０に設定された入力可能文字でない場合（禁止文字である場合）には、その入力欄５０が振動する。したがって、ユーザーが操作部２１を介して、表示部２３に表示された入力欄５０に対して不適切な文字を入力した場合には、それをユーザーに認識させることができる。
【００５９】
（２）入力可能文字でない文字（禁止文字）を入力欄５０に入力した場合に、不適切な文字を入力したことをユーザーに認識させる旨のメッセージを入力欄５０に表示させるため、メッセージを表示させるための領域を別途設ける必要がなく、表示部２３の限られたスペースを有効に利用することができる。
【００６０】
（３）入力欄５０を振動させている最中に、不適切な文字を入力したことをユーザーに認識させる旨のメッセージを入力欄５０に表示させた場合、ユーザーは当該メッセージを認識しにくい。この点、入力欄５０を振動させた後に、当該メッセージを表示させるため、ユーザーに対して当該メッセージを認識しやすくすることができる。
【００６１】
（４）複数の入力欄５０に対して、個別に入力可能文字を設定した。このため、異なる文字を入力する入力欄５０が複数ある場合において、操作部２１を介して入力可能な文字の中に、ある入力欄５０に対しては適切な文字であるが他の入力欄５０に対しては不適切な文字が存在したとしても、複数の入力欄５０において、そのような文字を適切に処理することができる。
【００６２】
（５）読取部２２で読み取った画像データを、ネットワークＮＷに接続された情報端末３０に送信することができる。また、画像データの送信先である情報端末３０の情報を、操作部２１を介して入力欄５０に入力する際に、不適切な文字を入力した場合には、それをユーザーに認識させることができる。
【００６３】
なお、上記実施形態は、以下に示すように変更してもよい。
・図６に示すように、ネットワークＮＷに接続された情報端末６０は、アルファベット、数字及び記号等の文字を入力可能な操作部６１と、印刷装置２０に係る各種の情報を表示する表示部６２とを備えていてもよい。例えば、情報端末６０がパーソナルコンピューターである場合には、操作部６１はキーボードとされ、表示部６２は液晶ディスプレイとされる。
【００６４】
そして、図６に示す情報端末６０の表示部６２に図２に示す設定画面４０を表示させるとともに、当該設定画面４０の入力欄５０に情報端末６０の操作部６１を介して文字を入力させてもよい。また、この場合には、上記実施形態と同様に、制御装置２６が、入力欄５０に入力された文字が受け付け、当該文字が表示部６２に表示される入力欄５０に入力可能な文字か否かを判断させてもよい。
【００６５】
この構成によれば、上記実施形態の効果（１）〜（４）を得ることができる。また、ネットワークＮＷを介して印刷装置２０から離れた場所から情報端末６０を介して、印刷装置２０の各種の設定等を行う場合であっても、情報端末６０の表示部６２に表示された入力欄５０に対して不適切な文字が入力された場合には、その旨をユーザーに認識させることができる。
【００６６】
・図６に示す変形例において、印刷装置２０は、操作部２１及び表示部２３を備えなくてもよい。
・表示部２３の入力欄５０に入力された文字に応じて入力欄５０を振動させる制御装置を、情報端末３０に設けてもよい。この場合の制御装置は、例えば、プリンタードライバーに該当することとなる。
【００６７】
・上記実施形態では、表示部２３に表示される設定画面の一例として、読取部２２の設定に係る画面を用いて説明したが、他の機能部の設定に係る画面であって入力欄５０が設けられた画面に対しても適用可能である。他の設定画面の例としては、印刷装置２０をネットワークＮＷに接続するための設定画面や、スキャンした画像データをメールで送信するためのメールアドレスの設定画面が挙げられる。
【００６８】
・例えば、数字が入力可能文字である入力欄５０がある場合であっても、当該入力欄５０に入力される適正値が「０（零）〜２５５」の範囲の数値である場合には、「０（零）」未満の数値が入力されたり、「２５６」以上の数値が入力されたりするときに、不適切な文字が入力されたと判定してもよい。
【００６９】
・読取部２２を備えなくてもよいし、送受信部２５は画像データの送信機能を有しなくてもよい。
・不適切な文字を入力欄５０に入力した場合に、当該入力欄５０に不適切な文字が入力された旨の文字列を表示しなくてもよい。
【００７０】
・表示部２３の設定画面４０には、少なくとも１つの入力欄５０が設けられていればよい。
・表示部２３の設定画面４０には、文字入力が可能な入力領域が設けられていれば欄として設けられていなくてもよい。
【符号の説明】
【００７１】
１０…印刷システム、２０…印刷装置、２１，６１…操作部、２２…読取部、２３，６２…表示部、２４…印刷部、２５…送受信部（受信部及び送信部の一例）、２６…制御装置、３０，６０…情報端末、４０…設定画面、５０…入力欄（入力領域の一例）、ＮＷ…ネットワーク。
【図１】
2016139890.tif 000003
【図２】
2016139890.tif 000004
【図３】
2016139890.tif 000005
【図４】
2016139890.tif 000006
【図５】
2016139890.tif 000007
【図６】
2016139890.tif 000008